(57)【要約】【課題】  振動による誤動作を確実に防止することができる電子装置、プログラムおよび記億媒体を提供する。【解決手段】  接点間を開閉させて検出信号を出力するスイッチング手段と、該スイッチング手段の開閉状態に応じて予め定める処理を実行する制御手段とを備え、電子機器の変位による加速度を検出し、加速度信号を出力する加速度検出手段と、加速度信号が入力されると、計時動作を開始して、第１時間を計時した後、計時動作を停止するタイマ手段と、加速度信号が入力された時刻から第２時間だけ検出信号を遅延させた遅延検出信号を生成して出力する遅延手段と、タイマ手段による計時動作が開始されてから該計時動作が停止されるまでの計時期間中、遅延検出信号をマスク処理してマスク検出信号を生成するマスク手段とを含み、制御手段は、マスク手段から出力されるマスク検出信号に応答して、スイッチング手段の開閉状態に応じた処理を実行する。【選択図】      図１
2015056809.tif 000002
【特許請求の範囲】
【請求項１】
接点間を開閉させて検出信号を出力するスイッチング手段と、該スイッチング手段の開閉状態に応じて予め定める処理を実行する制御手段とを備える電子機器であって、
前記電子機器の変位によって生じる加速度を検出し、加速度信号を出力する加速度検出手段と、
前記加速度が検出されたことに応じて計時動作を開始して、予め定める第１時間を計時した後、計時動作を停止するタイマ手段と、
前記加速度信号が入力された時刻から予め定める第２時間だけ前記検出信号を遅延させた遅延検出信号を生成して出力する遅延手段と、
前記タイマ手段による計時動作が開始されてから該計時動作が停止されるまでの計時期間中、前記遅延検出信号をマスク処理してマスク検出信号を生成し、そのマスク検出信号を前記制御手段に出力するマスク手段とを含み、
前記制御手段は、前記マスク手段から出力されるマスク検出信号に応答して、予め定める前記スイッチング手段の開閉状態に応じた処理を実行することを特徴とする電子機器。
【請求項２】
コンピュータを、請求項１に記載の電子機器として機能させるためのプログラム。
【請求項３】
請求項２に記載のプログラムを記録したコンピュータ読取り可能な記録媒体。
【発明の詳細な説明】
【技術分野】
【０００１】
本発明は、携帯電話機、携帯端末装置、デジタルカメラ、ゲーム機およびパーソナルコンピュータなどの電子機器、プログラムおよび記録媒体に関し、さらに詳しくは、振動による誤動作を防止するために有利に実施することができる電子機器、電子機器によって実行されるプログラム、およびそのプログラムを格納した記録媒体に関する。
【背景技術】
【０００２】
図５は、典型的な従来技術の電子機器である携帯端末装置１の電気的構成を示すブロック図である。携帯端末装置１は、制御部３、モデム４、通信処理部５、アンテナ６およびＳＩＭ(Subscriber Identity Module）カード８が着脱可能なＳＩＭソケット７を備える。
【０００３】
ＳＩＭソケット７は、図示しないハウジング内に設けられ、ＳＩＭカード８の装着／未装着を検出するための検出スイッチＳＷ１を有する。
【０００４】
前記検出スイッチＳＷ１は、共通接点１０と、個別接点１１と、各接点１０，１１を導通／遮断する作動片１２とを有する。作動片１２は、金属などの導体から成る。このような検出スイッチＳＷ１は、マイクロスイッチによって実現される。前記ハウジング内には、検出スイッチＳＷ１に近接して電磁シールドなどのために、接地された金属板１３が設けられる。
【０００５】
共通接点１０は、接続線１４によってモデム４に接続される。接続線１４にはプルアップ抵抗Ｒの一方の端子が接続され、他方の端子は電源供給線１５に接続されて、検出スイッチＳＷ１のオン／オフ状態をモデム４にオン・オフ信号として与えるように構成されている。
【０００６】
ＳＩＭソケット７にＳＩＭカード８が装填されると、検出スイッチＳＷ１が遮断（または導通）状態に切換わることによって装填を検出し、ＳＩＭカード８に記憶される情報がＳＩＭソケット７から通信線１６を介してモデム４に供給される。
モデム４は、ＳＩＭソケット７から通信線１６を介して入力した情報に応答して通信処理部５に通信指令を出力し、アンテナ６によって改札機などの相手側通信システム１７と近距離用無線通信（Near Field Communication；略称ＮＦＣ）によって通信が行われる。相手側通信システム１７は、この通信を行うために、アンテナ１８を備える通信処理部１９を有し、この通信処理部１９には、リーダライタとも呼ばれる読取り／書込み装置が備えられる。
【０００７】
この携帯端末装置１では、ＳＩＭカード８が装填されたことを検出スイッチＳＷ１の状態変化によって検出すると、通信処理部５がアンテナ６を介して相手側通信システム１７と交信できるようになる。また、ＳＩＭカード８が装填されたことが検出スイッチＳＷ１によって検出されていない場合には、制御部３は通信処理部５に対して通信を禁止する処理を行う。（たとえば、特許文献１参照。）
【先行技術文献】
【特許文献】
【０００８】
【特許文献１】特開２００７−２４９７８３号公報
【発明の概要】
【発明が解決しようとする課題】
【０００９】
しかしながら、前述の従来技術では、携帯端末装置１が改札機などに勢いよく当てられると、携帯端末装置１に振動が加わり、検出スイッチＳＷ１がオン・オフを短い間隔で繰り返す、いわゆるチャタリングが生じる。検出スイッチＳＷ１がオフ状態であると検出されると、制御部３は通信処理部５に対して通信を禁止するので、相手側通信システム１７との通信が遮断され、通信エラーになってしまうという問題がある。
【００１０】
本発明の目的は、上記のような振動による誤動作を確実に防止することができる電子装置、プログラムおよび記億媒体を提供することである。
【課題を解決するための手段】
【００１１】
本発明は、接点間を開閉させて検出信号を出力するスイッチング手段と、該スイッチング手段の開閉状態に応じて予め定める処理を実行する制御手段とを備える電子機器であって、
前記電子機器の変位によって生じる加速度を検出し、加速度信号を出力する加速度検出手段と、
前記加速度が検出されたことに応じて計時動作を開始して、予め定める第１時間を計時した後、計時動作を停止するタイマ手段と、
前記加速度信号が入力された時刻から予め定める第２時間だけ前記検出信号を遅延させた遅延検出信号を生成して出力する遅延手段と、
前記タイマ手段による計時動作が開始されてから該計時動作が停止されるまでの計時期間中、前記遅延検出信号をマスク処理してマスク検出信号を生成し、そのマスク検出信号を前記制御手段に出力するマスク手段とを含み、
前記制御手段は、前記マスク手段から出力されるマスク検出信号に応答して、予め定める前記スイッチング手段の開閉状態に応じた処理を実行することを特徴とする電子機器である。
【００１２】
また本発明は、コンピュータを、前記電子機器として機能させるためのプログラムである。
また本発明は、前記プログラムを記録したコンピュータ読取り可能な記録媒体である。
【発明の効果】
【００１３】
本発明によれば、加速度検出手段によって加速度が検出されると、遅延手段はスイッチング手段によって得られる検出信号を予め定める第２時間だけ遅延させ、タイマ手段が予め定める第１時間を計時する間、マスク手段によって前記遅延手段から取得される遅延検出信号をマスク処理してマスク検出信号が生成される。制御手段は、マスク手段から取得されるマスク検出信号に応答して、予め定められたスイッチング手段の開閉状態に応じた処理を実行するので、前記振動による誤動作を確実に防止することができる。
【図面の簡単な説明】
【００１４】
【図１】本発明の一実施形態の電子機器である携帯端末装置３０の電気的構成を示すブロック図である。
【図２】振動が生じた場合の携帯端末装置３０の動作を示すタイミングチャートである。
【図３】本発明の他の実施形態の電子機器である携帯端末装置３０ａの電気的構成を示すブロック図である。
【図４】本発明の他の実施形態の携帯端末装置３０ｂの電気的構成を示すブロック図である。
【図５】典型的な従来技術の電子機器である携帯端末装置１の電気的構成を示すブロック図である。
【発明を実施するための形態】
【００１５】
（第１の実施形態）
図１は、本発明の一実施形態の電子機器である携帯端末装置３０の電気的構成を示すブロック図である。本実施形態の電子機器である携帯端末装置３０は、検出手段である加速度センサ３１、制御部３２、モデム３３、ＳＩＭ(Subscriber Identity Module）カード３４が着脱可能なＳＩＭソケット３５および、通信処理部３６を含む。
【００１６】
通信処理部３６は、アンテナ３８によって、改札機などの相手側通信システム３９と近距離用無線通信（Near Field Communication；略称ＮＦＣ）によって通信を行うことができるように構成される。相手側通信システム３９は、近距離無線通信を行うために、アンテナ４０を備える通信処理部４１を有し、この通信処理部４１には、リーダライタとも呼ばれる読取り／書込み装置が備えられる。
【００１７】
加速度センサ３１は、変位によって生じる加速度を検出し、加速度信号を出力する。制御部３２は、加速度センサ３１からの加速度信号が入力されると、計時動作を開始すると共に予め定める第１時間を計時後にその計時動作を停止するタイマ手段４２と、タイマ手段４２による計時動作が開始されてから該計時動作が停止されるまでの計時期間中、モデム３３からの遅延検出信号をマスク処理した検出マスク信号を生成し、その検出マスク信号を制御部３２内の制御手段４４に出力するマスク手段４３とを含む。
【００１８】
モデム３３は、タイマ手段４２に加速度センサ３１からの加速度信号が入力されたことを制御部３２から通知されると、該加速度信号が入力された時刻から予め定める第２時間だけ検出スイッチＳＷ２信号を遅延させた遅延検出信号を生成して出力する遅延手段４５を含む。前記第１時間Ｗ１は、たとえば１ｍｓｅｃに設定され、前記第２時間Ｗ２は、たとえば１μｓｅｃに設定される。
【００１９】
前記検出スイッチＳＷ２は、共通接点５０と、個別接点５１と、各接点５０，５１を誘導／遮断する作動片５２とを有する。作動片５２は、金属などの導体から成る。このような検出スイッチＳＷ２は、たとえばマイクロスイッチによって実現される。携帯端末装置３０の図示しないハウジング内には、検出スイッチＳＷ２に近接して、電磁シールドなどのために、接地された金属板５３が設けられる。
【００２０】
前記共通接点５０は、接続線５４によってモデム３３に接続される。接続線５４にはプルアップ抵抗Ｒ１の一方の端子が接続され、他方の端子は電源供給線５５に接続されて、検出スイッチＳＷ２のオン／オフ状態をモデム３３にオン・オフ信号として与えるように構成されている。
【００２１】
ＳＩＭソケット３５にＳＩＭカード３４が装填されると、検出スイッチＳＷ２が遮断（または導通）状態に切換わることによって充填を検出し、ＳＩＭカード３４に記憶される情報がＳＩＭソケット３５から通信線５６を介してモデム３３に供給される。
【００２２】
モデム３３は、ＳＩＭソケット３５から通信線５６を介して入力した情報に応答して通信処理部３６に通信指令を出力し、アンテナ３８によって改札機などの相手側通信システム３９と近距離用無線通信によって通信が行われる。
【００２３】
図２は、振動がある場合の携帯端末装置３０の動作を示すタイミングチャートである。図２（ａ）は振動により誤検出したＳＩＭカード３４の検出信号を示し、図２（ｂ）は前記第２時間だけ遅延された上記検出信号である遅延検出信号を示し、図２（ｃ）は加速度センサ３１により検出された振動検出信号を示し、図２（ｄ）は前記振動検出信号の立下りから第１の時間遅延された計時信号を示し、図２（ｅ）はマスク手段４３から出力された信号を示し、図２（ｆ）は図示しないインバータにより論理反転されたリセット信号を示す。また図２（ｇ）は通信処理部３６の状態を示し、図２(ｈ)は相手側通信システム３９との通信の有無を示す。
【００２４】
図２（ａ）〜図２（ｇ）に示すように、携帯端末装置１に振動が加わり、検出スイッチＳＷ２がＳＩＭカード３４が装填されていないと誤検出しても、その誤検出信号はマスク手段４３によりブロックされて、制御部３２内の制御手段４４に誤った情報が伝わらないため、ＮＦＣの状態信号はアクティブ状態を継続することができ、通信途中で遮断されることが無くなり（ＮＦＣコミュニケーションが「あり」）、振動による誤動作を防止することができる。
【００２５】
（第２の実施形態）
図３は、本発明の第２の実施形態の電子機器である携帯端末装置３０ａの電気的構成を示すブロック図である。なお、前述の実施形態と対応する部分には、同一の参照符を付し、重複する説明は省略する。
【００２６】
本実施形態では、前述の実施形態の携帯端末装置３０に代えて、キー入力装置３７からの信号を制御部３２ａに設けられる第２の遅延手段４７によって遅延させ、遅延手段４７からの第２の遅延検出信号を、マスク手段４３によってマスク処理するように構成されている。
【００２７】
このような構成を採用することによって、ＳＩＭソケット３５に設けられる検出スイッチＳＷ２による検出信号だけでなく、キー入力装置３７に設けられる複数のキー入力スイッチＳＷ３の開閉状態に応じた信号に対しても、振動の影響を回避することができ、より確実に振動による誤動作を防止することができる。
【００２８】
（第３の実施形態）
図４は、本発明の第３の実施形態の携帯端末装置３０ｂの電気的構成を示すブロック図である。なお、前述の実施形態と対応する部分には、同一の参照符を付し、重複する説明は省略する。本実施形態は、メモリーカード等を差換えて動作させるパーソナルコンピュータやプリンタを想定したものであるが、図１〜図４の実施形態同様、マスク手段、制御部４５、遅延手段４５、および振動検出手段３１を備え、同様の処理を行うことにより、振動によるメモリーカード等の誤検出によりゲーム機の動作が一時的に中断されるという誤動作を防止することが可能となる。
【００２９】
本実施形態の携帯端末装置３０ｂは、第１および第２の実施形態と同様なマスク手段、遅延検出手段、振動検出手段を備え、さらにチップセット６３、ＲＯＭ６４、ＲＡＭ６５、記憶部６６、ＥＣ６７、メモリーカードコントローラ６８、入力部６９、出力部７０およびカードスロット７１を含んで構成される。
【００３０】
このように構成された携帯端末装置３０ｂによってもまた、前述の第１および第２の実施形態と同様な効果を奏することができ、振動によるメモリーカード等の誤検出によりゲーム機の動作が一時的に中断されるという誤動作を防止することが可能となる。
【００３１】
前述の各実施形態の携帯端末装置３０，３０ａ，３０ｂとしてコンピュータを動作させるプログラムによって実現される。このプログラムは、コンピュータによって読取り可能な記録媒体に記録されてもよい。記録媒体は、外部記憶装置に挿入することによって読取り可能な記録媒体によって実現されてもよく、携帯端末装置３０，３０ａ，３０ｂに内蔵される記録媒体によって実現されてもよい。
【００３２】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００３３】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００３４】
３０，３０ａ，３０ｂ  携帯端末装置
３１  加速度センサ
３２  制御部
３３  モデム
３４  ＳＩＭカード
３５  ＳＩＭソケット
３６，４１  通信処理部
３７  キー入力装置
３８，４０  アンテナ
３９  相手側通信システム
４２  タイマ手段
４３  マスク手段
４４  制御手段
４５，４５ａ  遅延手段
【図１】
2015056809.tif 000003
【図２】
2015056809.tif 000004
【図３】
2015056809.tif 000005
【図４】
2015056809.tif 000006
【図５】
2015056809.tif 000007